(57)【要約】【課題】    移動通信端末装置のテレビ録画を容易に行うとともに、識別しやすい録画ファイルを作成できるテレビ番組録画方法を提供する。【解決手段】    アプリケーションＡ３３のチャネル指定手段３５が、テレビ番組情報手段３４が取得したＥＰＧ情報から選択されたチャネルを指定して、そのチャネルの番組情報と共に、チャネルチェック手段３８を介して、チャネル受信制御手段３９に番組情報と共に受信要求を行う。受信要求を受けたチャネル受信制御手段３９は、テレビチューナ２３にテレビ受信を要求し、受信された画像音声情報を表示部１３及び案内用スピーカ１６に出力させるための処理と、受信チャネル録画手段４０に録画させるための処理を行う。受信チャネル録画手段４０は、番組情報と共に、画像音声情報を保存することにより、識別しやすい録画ファイルを作成する。【選択図】  図７
2006157826.tif 000002
【特許請求の範囲】
【請求項１】
テレビチューナ付きの移動通信端末装置におけるテレビ番組録画方法であって、
テレビ番組情報を取得する番組情報取得工程と；
前記番組情報取得工程により取得した前記テレビ番組情報の少なくとも一部をパラメータとして、前記テレビ番組情報に対応するテレビ番組の録画を要求する番組情報送信録画要求工程と；
前記番組情報送信録画要求工程により要求された前記テレビ番組を録画し、録画ファイルとして保存すると共に、前記テレビ番組情報を、前記録画ファイルのうち、前記テレビ番組が録画された領域とは異なる領域に保存する番組情報保存録画工程と；を備えるテレビ番組録画方法。
【請求項２】
前記番組情報取得工程における前記テレビ番組情報の取得は、インターネット又は放送を通じて配信される電子番組表を取得することにより行われる、ことを特徴とする請求項１に記載のテレビ番組録画方法。
【請求項３】
前記番組情報保存録画工程において、前記テレビ番組情報は前記録画ファイルのファイル名の領域に保存される、ことを特徴とする請求項１又は２に記載のテレビ番組録画方法。
【請求項４】
前記番組情報取得工程及び前記番組情報送信録画要求工程は、異なる実行環境においても汎用的に用いることができる言語で記述されたアプリケーションプログラムにより実行される、ことを特徴とする請求項１〜３のいずれか一項に記載のテレビ番組録画方法。
【請求項５】
テレビチューナと；
テレビ番組情報を取得する番組情報取得手段と；
前記番組情報取得手段により取得した前記テレビ番組情報の少なくとも一部をパラメータとして、前記テレビ番組情報に対応するテレビ番組の録画を要求する番組情報送信録画要求手段と；
前記番組情報送信録画要求手段により要求された前記テレビ番組を、前記テレビチューナにより受信して録画し、録画ファイルとして保存すると共に、前記テレビ番組情報を、前記録画ファイルのうち、前記テレビ番組が録画された領域とは異なる領域に保存する番組情報保存録画手段と；を備える移動通信端末装置。
【請求項６】
前記番組情報取得手段は、インターネット又は放送を通じて配信される電子番組表を取得することにより、前記テレビ番組情報の取得を行う、ことを特徴とする請求項５に記載の移動通信端末装置。
【請求項７】
前記番組情報保存録画手段は、前記録画ファイルのファイル名の領域に前記テレビ番組情報を保存する、ことを特徴とする請求項５又は６に記載の移動通信端末装置。
【請求項８】
前記番組情報取得手段及び前記番組情報送信録画要求手段は、異なる実行環境においても汎用的に用いることができる言語で記述されたアプリケーションプログラムにより構成される、ことを特徴とする請求項５〜７のいずれか一項に記載の移動通信端末装置。
【発明の詳細な説明】
【技術分野】
【０００１】
本発明は、テレビ番組録画方法及び移動通信端末装置に係り、より詳しくは、テレビチューナ付きの移動通信端末装置におけるテレビ番組録画方法、そのテレビ番組録画方法を使用する移動通信端末装置に関する。
【背景技術】
【０００２】
従来から、携帯電話をはじめとする移動通信端末装置が広く普及している。こうした移動通信端末装置は、通話機能、メール通信機能だけでなく様々な機能を有することができるようになってきている。このような様々な機能を備える移動通信端末装置の中には、テレビチューナを有し、テレビ視聴及び録画機能を備える携帯電話も出現してきている（非特許文献１参照）。
【０００３】
このような、テレビ機能付きの移動通信端末装置では、操作キーにテレビチャネルとして、予め利用者が主に生活している地域の周波数を割り当て、利用者はその操作キーのチャネルの中から、視聴又は録画したい番組のチャネルを選ぶことにより、チャネルの選択を行っている。
【０００４】
また、移動通信端末装置に限らず、テレビを録画する際などに、放送電波やインターネットを経由して電子番組表（ＥＰＧ：Electric Program Guide）を取得して、その番組の電子情報をテレビ番組の録画機器に送信することで、録画予約等を行うことも一般化してきている（特許文献１参照）。
【非特許文献１】“製品情報 V601N”、[online]、Vodafone、[平成１６年１１月１５日検索]、インターネット <URL：http://www.vodafone.jp/japanese/products/kisyu/v601n/index.html>
【特許文献１】特開２０００−２７８６２３号公報
【発明の開示】
【発明が解決しようとする課題】
【０００５】
上述したように、携帯電話によりテレビを視聴又は録画を行うことや、テレビの番組情報としてＥＰＧ等のテレビ番組情報が使われることが一般的となっている。
【０００６】
しかしながら、移動通信端末装置の場合には、手軽にどこでもテレビ番組の録画ができるものの、操作が複雑であったり、文字入力が困難であるため、録画したい番組を見つけにくかったり、録画ファイルにファイル名をつけて整理するためには、手間取ることが多かった。
【０００７】
本発明は、上記の事情を鑑みてなされたものであり、移動通信端末装置のテレビ録画を容易に行うとともに、識別しやすい録画ファイルを作成できるテレビ番組録画方法、そのテレビ番組録画方法を使用する移動通信端末装置を提供することを目的とする。
【課題を解決するための手段】
【０００８】
本発明のテレビ番組録画方法は、テレビチューナ付きの移動通信端末装置におけるテレビ番組録画方法であって、テレビ番組情報を取得する番組情報取得工程と；前記番組情報取得工程により取得した前記テレビ番組情報の少なくとも一部をパラメータとして、前記テレビ番組情報に対応するテレビ番組の録画を要求する番組情報送信録画要求工程と；前記番組情報送信録画要求工程により要求された前記テレビ番組を録画し、録画ファイルとして保存すると共に、前記テレビ番組情報を、前記録画ファイルのうち、前記テレビ番組が録画された領域とは異なる領域に保存する番組情報保存録画工程と；を備えるテレビ番組録画方法である。
【０００９】
このテレビ番組保存方法では、まず、番組情報取得工程において、テレビ番組情報を取得する。ここで「テレビ番組情報」とは、チャネル、番組名、出演者、放送時刻をはじめとするテレビ番組に関する情報を意味する。テレビ番組情報の取得元は当該移動通信端末装置以外であり、ネットワークや情報記録媒体等である。次に、番組情報送信録画要求工程において、取得したテレビ番組情報のうち、テレビ番組情報の少なくとも一部をパラメータとして、取得したテレビ番組情報のテレビ番組の録画を要求する。ここでの要求は、テレビ受信開始の要求と共に行ってもよいし、現在受信しているテレビ番組について録画を開始する要求であってもよい。引き続き、番組情報保存録画工程において、要求されたテレビ番組を録画し、録画ファイルとして保存すると共に、テレビ番組情報を、録画ファイルのうち、テレビ番組が録画された領域とは異なる領域に保存する。
【００１０】
したがって、利用者は、取得したテレビ番組情報から、容易に、録画することができると共に、番組情報と共に保存されることにより、利用者は、録画されたファイルを容易に識別することができる。
【００１１】
また、本発明のテレビ番組録画方法では、前記番組情報取得工程におけるテレビ番組情報の取得は、インターネット又は放送を通じて配信される電子番組表を取得することにより行われる、とすることができる。ここで、テレビ番組情報は、いわゆるＥＰＧ（Electric Program Guide：電子番組表）の情報であることを意味し、放送やインターネット等を通じて一般に配信してされている情報を利用することにより、より簡易に番組情報を取得し録画することができる。また、ここでの放送とは、公衆に対して同一の内容を同時に受信させることを目的として行う無線通信の送信をいい、テレビ若しくはラジオ等、又は、アナログ若しくはデジタル等の別を問わない。
【００１２】
また、本発明のテレビ番組録画方法では、前記番組情報保存録画工程において、前記テレビ番組情報は前記録画ファイルのファイル名の領域に保存される、とすることができる。したがって、利用者はファイル名を確認することにより、容易に番組を識別することができる。
【００１３】
また、本発明のテレビ番組録画方法では、前記番組情報取得工程及び番組情報送信録画要求工程は、異なる実行環境においても汎用的に用いることができる言語で記述されたアプリケーションプログラムにより、実行される、とすることができる。ここで異なる実行環境においても汎用的に用いることができる言語とは、いわゆるＪＡＶＡ（登録商標）等の言語のことをいう。したがって、利用者は、様々な移動通信端末装置で当該アプリケーションを利用することができる。
【００１４】
本発明の移動通信端末装置は、テレビチューナと；テレビ番組情報を取得する番組情報取得手段と；前記番組情報取得手段により取得した前記テレビ番組情報の少なくとも一部をパラメータとして、前記テレビ番組情報に対応するテレビ番組の録画を要求する番組情報送信録画要求手段と；前記番組情報送信録画要求手段により要求された前記テレビ番組を、前記テレビチューナにより受信して録画し、録画ファイルとして保存すると共に、前記テレビ番組情報を、前記録画ファイルのうち、前記テレビ番組が録画された領域とは異なる領域に保存する番組情報保存録画手段と；を備える移動通信端末装置である。
【００１５】
この移動通信端末装置では、番組情報取得手段は、テレビ番組情報を取得する。ここで「テレビ番組情報」とは、チャネル、番組名、出演者、放送時刻をはじめとするテレビ番組に関する情報を意味する。テレビ番組情報の取得元は当該移動通信端末装置以外であり、ネットワークや情報記録媒体等である。また、番組情報送信録画要求手段は、取得したテレビ番組情報の少なくとも一部をパラメータとして、テレビ番組情報のテレビ番組の録画を要求する。さらに、番組情報保存録画手段は、番組情報送信録画要求手段で要求されたテレビ番組を録画し、前記テレビチューナにより受信して録画し、録画ファイルとして保存すると共に、テレビ番組情報を、録画ファイルのうち、テレビ番組が録画された領域とは異なる領域に保存する。
【００１６】
したがって、利用者は、取得したテレビ番組情報から、容易に、録画することができると共に、番組情報と共に保存されることにより、利用者は、録画されたファイルを容易に識別することができる。
【００１７】
また、本発明の移動通信端末装置では、前記番組情報取得手段は、インターネット又は放送を通じて配信される電子番組表を取得することにより、前記テレビ番組情報の取得を行う、とすることができる。ここで、テレビ番組情報は、いわゆるＥＰＧ（Electric Program Guide：電子番組表）の情報であることを意味し、放送やインターネット等を通じて一般に配信してされている情報を利用することにより、より簡易に番組情報を取得し録画することができる。また、ここでの放送の語は、上述したテレビ番組録画方法と同じ意味で用いている。
【００１８】
また、本発明の移動通信端末装置では、前記番組情報保存録画手段は、前記録画ファイルのファイル名の領域に前記テレビ番組情報を保存する、とすることができる。したがって、利用者はファイル名を確認することにより、容易に番組を識別することができる。
【００１９】
また、本発明の移動通信端末装置では、前記番組情報取得手段及び番組情報送信録画要求手段は、異なる実行環境においても汎用的に用いることができる言語で記述されたアプリケーションプログラムにより構成される、とすることができる。ここで異なる実行環境においても汎用的に用いることができる言語とは、いわゆるＪＡＶＡ（登録商標）等の言語のことをいう。したがって、利用者は、様々な移動通信端末装置で当該アプリケーションを利用することができる。
【発明の効果】
【００２０】
以上説明したように、本発明のテレビ受信方法及びその方法を使用した移動通信端末装置では、移動通信端末装置のテレビ番組の録画を容易に行うとともに、識別しやすい録画ファイルを作成することができる。
【発明を実施するための最良の形態】
【００２１】
以下、本発明の一実施形態を、図１〜図７を参照しつつ説明する。なお、これらの図においては、同一又は同等の要素には同一の符号を付し、重複する説明を省略する。
【００２２】
図１には、携帯電話１０の外観構成が概略的に示されている。図１に示されるように、携帯電話１０は、（ａ）電話番号を入力するためのテンキー、及び、動作モードの切替等の各種指令を入力するためのファンクションキーを有する操作部１２と、（ｂ）携帯電話１０の操作案内、動作状況、受信メッセージ等を表示する液晶表示装置を有する表示部１３と、（ｃ）通話時に通信相手から送られてきた音声信号を再生する通話用スピーカ１４と、（ｄ）集音時に音を入力したり、通話時に音声を入力したりするためのマイクロフォン１５と、（ｅ）着信音や案内音を発生するための案内用スピーカ１６と、（ｆ）基地局と無線通信を行うためのアンテナ１７とを備えている。
【００２３】
図２には、携帯電話１０の内部の情報処理システムである内部システム１１が概略的に示されている。内部システム１１は、携帯電話１０のシステム全体を統括制御する制御部２１と、アンテナ１７を介して基地局と無線通信をおこなう送受信部２２と、テレビ放送の電波を受信するテレビアンテナ２４と、テレビ放送の電波のうち指定された周波数を受信し、制御部２１で処理される形式にコード化するテレビチューナ２３とを備えている。
【００２４】
ここで、制御部２１は、図３に示されるように、汎用アプリケーション部３１と、基本処理部３２とを備えており、不図示の中央処理装置（ＣＰＵ）、デジタル信号処理装置（ＤＳＰ）及び記憶装置（ＲＡＭ等）等のハードウェアにより実行・処理される。汎用アプリケーション部とは、携帯電話の端末に依存せずに汎用的に使用できるアプリケーションプログラムを備える部分であり、いわゆるＪＡＶＡ（登録商標）等の言語で記述されたプログラムが収められている。これに対し、基本処理部３２とは、汎用アプリケーション部以外の制御部２１の部分を表している。
【００２５】
更に、汎用アプリケーション部３１は、テレビ機能を利用するためのアプリケーションプログラムであるアプリケーションＡ３３を備え、アプリケーションＡ３３は、（ｉ）アンテナ１７及び送受信部２２を介して、インターネットからテレビ番組情報であるＥＰＧ（Electric Program Guide）情報を取得し、表示部１３に表示したりするテレビ番組情報取得手段３４と、（ii）基本処理部３２に対し、テレビ受信の開始と受信チャネルの指定を要求するチャネル指定手段３５と、（iii）基本処理部から受信しているチャネルの取得し、保存する受信チャネル取得保存手段３６と、（iv）受信チャネル取得保存手段３６により取得されたチャネルが保存される受信チャネル記憶領域３７とを有している。
【００２６】
基本処理部３２は、(ｉ)チャネル指定手段３５により指定されたチャネルが、操作部１２のキーに割当てられたチャネルであるかどうか、及び、テレビチューナ２３により受信可能なチャネルであるかどうか、の確認を行うチャネルチェック手段３８と、（ii）後述する割当てチャネル記憶領域４１又は仮想チャネル記憶領域４２から受信するチャネルを取得し、テレビチューナ２３に受信を要求するチャネル受信制御手段３９と、(iii)受信チャネルの録画（録音含む）を行う受信チャネル録画手段４０と、（iv）操作部１２のキーに割当てられたチャネルの情報を保持する割当てチャネル記録領域４１と、（ｖ）操作部１２のキーに割当てられておらず、テレビチューナ２３により受信可能なチャネルの情報を一時的に保持する仮想チャネル記憶領域４２とを備えている。
【００２７】
次に、上記のように構成された携帯電話１０におけるテレビ受信方法について説明する。
【００２８】
図４に示されるように、まず、起動中のアプリケーションＡにより、インターネットを経由して、電子テレビ番組表（ＥＰＧ）情報が取得され、表示部１３に表示される。ここで、利用者が表示されたＥＰＧ情報から番組を選択し視聴するため操作を行うと、テレビ番組情報取得手段３４は、チャネル指定手段３５に、選択されたチャネルを指定して、テレビ受信の要求を行う。
【００２９】
テレビ受信の要求を受けたチャネル指定手段３５は、指定されたチャネルをパラメータとして、チャネルチェック手段３８にテレビ受信を要求する。この要求を受けたチャネルチェック手段３８は、チャネルチェックＳ５０を行う。チャネルチェックＳ５０は、図５に示されるように、まず、ステップＳ５１において、割当てチャネル記憶領域４１から、操作部１２のキーに割当てられたチャネルを取得し、指定されたチャネルが含まれるかどうかを判定する。
【００３０】
この判定が肯定的な場合には、ステップＳ５２において、割当てチャネル記憶領域４１に含まれるチャネルでのテレビ受信要求を行う。更に、ステップＳ５３において、携帯電話１０がテレビ受信を開始してその画像を表示するために、アプリケーションＡに一時停止を要求する。一時停止を要求されたアプリケーションＡは一時停止する。
【００３１】
一方、ステップＳ５１における判定が否定的な場合には、ステップＳ５４において、指定されたチャネルがテレビチューナ２３で受信可能なチャネルであるかどうかが判定される。この判定が肯定的な場合には、チャネルチェック手段３８は、ステップＳ５５において、仮想チャネル記憶領域４２に指定されたチャネルを保存し、ステップＳ５６において、仮想チャネルでのテレビ受信要求を行う。また、ステップ５７において、ステップＳ５１で肯定的な判定がされた場合と同様に、アプリケーションＡに一時停止を要求する。
【００３２】
ステップＳ５４における判定が否定的な場合には、ステップＳ５８において、アプリケーションＡに、受信できるチャネルでない旨のエラーを通知する。
【００３３】
ここで、指定されたチャネルは、テレビチューナ２３で受信可能であるが、操作部１２のキーに割り当てられていないチャネルであるとする。したがって、この場合には、チャネルチェックＳ５０で仮想チャネル記憶領域に保存されたチャネルでテレビ受信することになる。図４に戻り、テレビ受信要求を受けたチャネル受信制御手段３９は、仮想チャネル記憶領域４２からチャネルを取得し、テレビチューナ２３に対し、テレビ受信開始要求を行う。
【００３４】
テレビ受信要求を受けたテレビチューナ２３は、テレビアンテナ２４を介し、指定されたチャネルの周波数の電波信号を受信し、受信した画像音声情報を制御部２１で処理できる形式にエンコードした後、チャネル受信制御手段３９に送る。エンコードされた画像音声信号を受けたチャネル受信制御手段３９は、その画像音声情報をデコードし、画像情報を表示部１３に、音声情報を案内用スピーカ１６に送る。画像情報を受けた表示部１３はその表示面に画像を出力し、音声情報を受けた案内用スピーカ１６は音声を出力する。
【００３５】
ここで、利用者が、操作部１２の十字キーの右キーを繰り返し押下すると、チャネル受信制御手段３９は、割当てチャネル記憶領域４１に保存されている、予め操作部１２の操作キーに割当てられたチャネルを、順番に指定して受信する。割当てチャネル記憶領域４１に保存されているチャネルをすべて指定し終え、利用者が更に上キーを繰り返し押下すると、チャネル受信制御手段３９は、仮想チャネル記憶領域４２に保存されたチャネルを指定して受信する。更に上キーを繰り返し押下すると、再び割当てチャネル記憶領域４１に保存されているチャネルを受信し、十字キーはいわゆるトグルキーとして動作する。
【００３６】
引き続き、図６を参照しつつ、テレビ受信の一時停止時とテレビ受信の再開時の動作について説明する。なお、テレビ受信一時停止時に受信しているチャネルは、テレビチューナ２３で受信可能であるが、操作部１２のキーに割り当てられていないチャネルであるとする。
【００３７】
受信処理中のチャネル受信制御手段３９は、受信処理の終了の要求を受けると、テレビチューナ２３に対し、受信終了の要求を行うと共に、デコード処理を終了し、アプリケーションＡに対し再開の要求を行う。再開要求により再開されたアプリケーションＡの受信チャネル取得保存手段３６は、チャネル受信制御手段３９に対し、受信していたチャネル情報を要求する。ここで、チャネル情報には、「チャネル」の他に、「チャネル種別」及び「チャネル種別情報を含むかどうかのフラグ情報」を含んでいる。
【００３８】
チャネル情報を要求されたチャネル受信制御手段３９は、受信終了時に受信していたチャネル情報を受信チャネル取得保存手段３６に応答する。チャネル情報を受けた受信チャネル取得保存手段３６は、受信チャネル記憶領域３７に、そのチャネル情報を保存する。
【００３９】
引き続き、起動中のアプリケーションＡにおいて、チャネルの指定なくテレビの受信要求があった場合には、チャネル指定手段３５は、受信チャネル記憶領域３７から、保存されているチャネル情報を取得する。そして、取得したチャネル情報のチャネルを指定して、チャネルチェック手段３８にテレビ受信要求を行う。
【００４０】
以下、図４で説明した場合と同様に、テレビ受信録画要求を受けたチャネルチェック手段３８はチャネルチェックＳ５０を行い、チャネル受信制御手段３９に仮想チャネルでの受信を要求する。受信を要求されたチャネル受信制御手段３９は、仮想チャネル記憶領域４２からチャネルを取得し、テレビチューナ２３に受信開始を要求する。引き続き、テレビ受信要求を受けたテレビチューナ２３は、電波信号を受信し、受信した画像音声情報をエンコードした後、チャネル受信制御手段３９に送り、その画像音声信号を受けたチャネル受信制御手段３９は、その画像音声情報をデコードする。デコードされた画像情報及び音声情報は、それぞれ表示部１３及び案内用スピーカ１６に送られることとなる。
【００４１】
次に、ＥＰＧ情報から録画を行う場合について、図７を参照しつつ説明する。
【００４２】
図４で説明した場合と同様に、アプリケーションＡ３３のＴＶ番組情報取得手段３４は、インターネットからＥＰＧ情報を取得し、表示部１３に表示する。利用者が表示されたＥＰＧ情報から番組を選択し、録画及び視聴をするため操作を行うと、テレビ番組情報取得手段３４は、チャネル指定手段３５に、テレビ受信と録画の要求を行うと共に、選択されたチャネル、及び、ＥＰＧ情報から取得したそのチャネルの番組情報を送る。
【００４３】
テレビ受信録画要求を受けたチャネル指定手段３５は、チャネルチェック手段３８に、選択されたチャネルを指定してテレビ受信録画要求を行うと共に、そのチャネルの番組情報を送る。テレビ受信録画要求を受けたチャネルチェック手段３８は、チャネルチェックＳ５０を行い、チャネル受信制御手段３９に、番組情報と共に、受信録画を要求する。受信録画を要求されたチャネル受信制御手段３９は、割当てチャネル記憶領域４１又は仮想チャネル記憶領域４２に保存されたチャネルを取得し、テレビチューナ２３に受信開始を要求し、受信チャネル録画手段４０に、番組情報と共に録画開始を要求する。
【００４４】
テレビ受信要求を受けたテレビチューナ２３は、図４で説明した場合と同様に、電波信号を受信し、受信した画像音声情報をエンコードした後、チャネル受信制御手段３９に送る。画像音声信号を受けたチャネル受信制御手段３９は、その画像音声情報をデコードし、画像情報を表示部１３に、音声情報を案内用スピーカ１６に送ると共に、画像音声情報を受信チャネル録画手段４０に送る。
【００４５】
表示部１３及び案内用スピーカ１６は、図４で説明した場合と同様に、それぞれ、画像情報を表示面に出力し、音声情報を案内用スピーカ１６に出力する。また、画像音声情報を受けた受信チャネル録画手段４０は、チャネル受信制御手段３９から通知された番組情報をファイル名として、画像音声情報を録画保存する。
【００４６】
以上説明したように、本実施形態では、アプリケーションＡ３３のチャネル指定手段３５が、テレビ番組情報手段３４が取得したＥＰＧ情報から選択されたチャネルを指定して、基本処理部３２のチャネルチェック手段３８へテレビ受信要求を行う。チャネルチェック手段３８は、チャネルチェックＳ５０の処理の中で、操作部１２のキーに割り当てられているかどうか等のチェックと行い、キーに割り当てられていないチャネルの場合には、仮想チャネル記憶領域４２にチャネルを保存する。
【００４７】
引き続き、チャネルチェック手段３８は、チャネル受信制御手段３９に受信要求を行うと共に、アプリケーションＡ３３を一時停止させる。受信要求を受けたチャネル受信制御手段３９は、テレビチューナ２３に仮想チャネル記憶領域４２に保存されたチャネルでの受信を要求し、受信された画像音声情報を表示部１３及び案内用スピーカ１６に出力するための処理を行う。
【００４８】
また、テレビ受信を終了する際には、チャネル受信制御手段３９は、アプリケーションＡ３３を再開し、テレビチューナ２３と共にテレビ受信処理を終了する。再開されたアプリケーションＡ３３のチャネル取得保存手段３６はチャネル受信制御手段３９から、受信していたチャネル情報を取得し、受信チャネル記憶領域３７に保存する。次に、アプリケーションＡ３３において、チャネルの指定のないテレビ受信要求がされた場合には、チャネル指定手段３５は、受信チャネル記憶領域３７から、チャネル情報を取得し、取得したチャネル情報のチャネルを指定して、チャネルチェック手段３８にテレビ受信要求をする。
【００４９】
また、テレビ番組を録画する際には、アプリケーションＡ３３のチャネル指定手段３５が、テレビ番組情報手段３４が取得したＥＰＧ情報から選択されたチャネルを指定して、そのチャネルの番組情報と共に、基本処理部３２のチャネルチェック手段３８へテレビ受信要求を行う。チャネルチェック手段３８は、チャネルチェックＳ５０の処理の中で、操作部１２のキーに割り当てられているかどうか等のチェックと行い、キーに割り当てられていないチャネルの場合には、仮想チャネル記憶領域４２にチャネルを保存する。
【００５０】
引き続き、チャネル受信制御手段３９に番組情報と共に受信要求を行い、アプリケーションＡ３３を一時停止させる。受信要求を受けたチャネル受信制御手段３９は、テレビチューナ２３に、割当てチャネル記憶領域４１のチャネル、又は、仮想チャネル保存領域４２に保存されたチャネルでの受信を要求し、受信された画像音声情報を表示部１３及び案内用スピーカ１６に出力させるための処理と、受信チャネル録画手段４０に録画させるための処理を行う。受信チャネル録画手段４０は、番組情報と共に、画像音声情報を保存する。
【００５１】
したがって、本実施形態によれば、利用者は、インターネットや放送電波等を介して取得したテレビ番組情報から容易に、視聴又は録画することができる。また、録画ファイルの情報にはテレビ番組情報も残すことができるため、録画した番組を識別するための情報の入力を行わなくとも、容易に識別することのできるファイルを作成することができる。また、利用者は、受信開始時に、過去に受信していた操作キーに設定されたチャネル以外のチャネルを、設定しなおさなくとも、視聴又は録画することができる。更に、利用者は、アプリケーションＡ３３が汎用性のアプリケーションプログラムであることにより、様々な端末で当該アプリケーションを利用することができる。
【００５２】
なお、本実施形態においては、ＥＰＧ情報からテレビ番組情報を取得していたが、ＥＰＧ情報によらずに、テレビ番組情報を取得してもよい。
【００５３】
また、本実施形態においては、テレビ番組情報をインターネットから取得することとしたが、テレビ放送等の放送から取得することとしてもよい。
【００５４】
また、本実施形態においては、受信の要求と録画の要求を同時に行うこととしたが、別々に行うこととしてもよいし、既に受信しているチャネルについて録画の要求を行うこととしてもよい。
【００５５】
また、本実施形態においては、チャネル指定手段３５、テレビ番組情報取得手段３４、受信チャネル取得保存手段３６及び受信チャネル記憶領域３７は、ＪＡＶＡ（登録商標）等の言語を用いた汎用アプリケーション部３１のアプリケーションＡ３３の部分としたが、その一部又は全部が、基本処理部３２の部分であることとしてもよい。
【００５６】
また、本実施形態においては、移動通信端末装置として携帯電話を用いたが、その他の移動通信端末装置であってもよい。
【産業上の利用可能性】
【００５７】
以上説明したように本発明のテレビ受信方法は、テレビ受信機能の付いた移動通信端末装置に適用することができる。また、本発明の移動通信端末装置は、携帯電話をはじめとする移動通信端末装置に適用することができる。
【図面の簡単な説明】
【００５８】
【図１】本発明の実施形態に係る携帯電話１０の外観構成を概略的に示す図である。
【図２】図１の携帯電話１０の内部システム１１を概略的に示す図である。
【図３】図１の携帯電話１０の制御部２１を概略的に示す図である。
【図４】図１の携帯電話１０のテレビ受信の処理方法を説明するためのシーケンス図である。
【図５】図４のチャネルチェックＳ５０の処理を説明するためのフローチャートである。
【図６】図１の携帯電話１０のテレビ受信の一時停止と再開の処理方法を説明するためのシーケンス図である。
【図７】図１の携帯電話１０のテレビ受信と録画の処理方法を説明するためのシーケンス図である。
【符号の説明】
【００５９】
１０…携帯電話（移動通信端末装置）、１２…操作部、１３…表示部、１４…通話用スピーカ、１５…マイクロフォン、１６…案内用スピーカ、１７…アンテナ、２１…制御部、２２…送受信部、２３…テレビチューナ、２４…テレビアンテナ、３１…汎用アプリケーション部、３２…基本処理部、３３…アプリケーションＡ、３４…テレビ番組情報取得手段（番組情報取得手段）、３５…チャネル指定手段（番組情報送信録画要求手段）、３６…受信チャネル取得保存手段、３７…受信チャネル記憶領域、３８…チャネルチェック手段、３８…チャネル受信制御手段、４０…受信チャネル録画手段（番組情報保存録画手段）、４１…割当てチャネル記憶領域、４２…仮想チャネル記憶領域。
【図１】
2006157826.tif 000003
【図２】
2006157826.tif 000004
【図３】
2006157826.tif 000005
【図４】
2006157826.tif 000006
【図５】
2006157826.tif 000007
【図６】
2006157826.tif 000008
【図７】
2006157826.tif 000009